(57)【要約】【課題】音声入力によるロボットのインチングモードにおいて音声認識精度を向上させる。【解決手段】  教示装置１は、操作者の音声を認識する音声認識部１１と、予め、ロボット３の操作に関連付けられた特定ワードを記憶しておく記憶部１２と、認識されたワードに一致する特定ワードを抽出する特定ワード抽出部１３と、抽出された特定ワードに関連付けられた操作情報に基づいてロボットへの操作指令を生成する操作指令生成部１４と、を備える。特定ワードは、指定された位置からロボットを所定方向に移動する場合の移動量に相当するピッチを特定する第１ワードと、ロボットの移動方向を特定する第２ワードと、を含む。操作指令生成部１４は、第１ワードによって指定されたピッチが更新されることなく、第２ワードによってロボットの移動方向が指定された場合は、指定されたピッチで指定された方向にロボットを移動するよう操作指令を生成する。【選択図】図１
2019126902.tif 000002
【特許請求の範囲】
【請求項１】
ロボットに動作を教示するためのロボットの教示装置であって、
操作者の音声を入力する音声入力部と、
前記音声入力部に入力された操作者の音声を認識する音声認識部と、
予め、前記ロボットの操作に関連付けられた特定ワードを記憶しておく記憶部と、
前記記憶部から、前記音声認識部により認識されたワードに一致する特定ワードを抽出する特定ワード抽出部と、
前記特定ワード抽出部によって抽出された特定ワードに関連付けられた操作情報に基づいてロボットへの操作指令を生成する操作指令生成部と、を備え、
前記特定ワードは、指定された位置から前記ロボットを所定方向に移動する場合の移動量に相当するピッチを特定する第１ワードと、前記ロボットの移動方向を特定する第２ワードと、を含み、
前記操作指令生成部は、前記第１ワードによって指定されたピッチが更新されることなく、前記第２ワードによって前記ロボットの移動方向が指定された場合は、前記指定されたピッチで指定された方向に前記ロボットを移動するよう操作指令を生成する、ロボットの教示装置。
【請求項２】
前記特定ワードは、前記指定された移動方向に前記指定されたピッチでロボットを前進移動又は後退移動させるための発話容易な第３ワードを更に含み、
前記操作指令生成部は、前記第１ワードによって指定されたピッチが更新されることなく、前記第２ワードによって前記ロボットの移動方向が指定された場合は、前記指定されたピッチで指定された方向に、前記第３ワードによってロボットを前進移動又は後退移動するよう操作指令を生成する、請求項１に記載のロボットの教示装置。
【請求項３】
前記第１ワードは、指定された位置から前記ロボットを所定方向に移動する場合のピッチを特定するための曖昧な表現（ambiguity）を含み、
前記記憶部には、予め、前記曖昧な表現に対応する数値およびその単位が、当該曖昧な表現に関連付けられて記憶されており、
前記操作指令生成部は、前記第２ワードにより指定された移動方向が更新されることなく、前記曖昧な表現に対応する数値及びその単位によって前記ロボットのピッチが指定された場合は、前記指定された移動方向に指定されたピッチで前記ロボットを移動するよう操作指令を生成する、請求項１又は２に記載のロボットの教示装置。
【請求項４】
前記ロボットは、複数のロボットアームを備え、
前記特定ワードは、前記複数のロボットアームのうち移動対象となるロボットアームを特定するワードを更に含む、請求項１乃至３のいずれか一項に記載のロボットの教示装置。
【請求項５】
ダイレクト教示によってロボットに動作を教示する、請求項１乃至４のいずれか一項に記載のロボットの教示装置。
【発明の詳細な説明】
【技術分野】
【０００１】
本発明は、ロボットの教示装置に関する。
【背景技術】
【０００２】
一般にロボットに作業を教示する方法としてダイレクト教示方式がある。このダイレクト教示方式では、作業者がロボットの先端をつかんで、ロボットを所望の位置に移動させ、あるいは所望の姿勢を取らせて、そのときの位置あるいは姿勢を記憶することによってロボットの動作を教示する。作業者は、ロボットを教示位置まで直接移動させる作業に加えて、ティーチングペンダントによる操作が必要である。ティーチングペンダントには、遠隔操作によってロボットを所望の方向に移動させるインチングモードがある。インチングモードでは、ティーチペンダントの操作キーを使用するため、作業者はロボットを見ながらティーチングペンダントも見なければならない。
【０００３】
最近では、作業負担を軽減するために音声入力によりインチングを行うロボットの教示装置が提案されている（特許文献１及び特許文献２参照）。
【先行技術文献】
【特許文献】
【０００４】
【特許文献１】特開２００３−８０４８２号公報
【特許文献２】特開２００５−８８１１４号公報
【発明の概要】
【発明が解決しようとする課題】
【０００５】
しかし、上記従来技術では、ティーチングペンダントを使わずに音声でインチングを行う場合、作業者は例えば「Ｘ軸プラス方向６ｍｍ」、「Ｚ軸マイナス方向２ｍｍ」等と発話することになる。一般に音声認識率は、長い音声ほど認識に時間を要し、エラーも多くなるという傾向がある。
【０００６】
本発明は上記のような課題を解決するためになされたもので、音声入力によるロボットのインチングモードにおいて音声認識精度を向上させることを目的とする。
【課題を解決するための手段】
【０００７】
上記目的を達成するために、本発明のある形態に係るロボットの教示装置は、ロボットに動作を教示するためのロボットの教示装置であって、操作者の音声を入力する音声入力部と、前記音声入力部に入力された操作者の音声を認識する音声認識部と、予め、前記ロボットの操作に関連付けられた特定ワードを記憶しておく記憶部と、前記記憶部から、前記音声認識部により認識されたワードに一致する特定ワードを抽出する特定ワード抽出部と、前記特定ワード抽出部によって抽出された特定ワードに関連付けられた操作情報に基づいてロボットへの操作指令を作成する操作指令生成部と、を備え、前記特定ワードは、指定された位置から前記ロボットを所定方向に移動する場合の移動量に相当するピッチを特定する第１ワードと、前記ロボットの移動方向を特定する第２ワードと、を含み、前記操作指令生成部は、前記第１ワードによって指定されたピッチが更新されることなく、前記第２ワードによって前記ロボットの移動方向が指定された場合は、前記指定されたピッチで指定された方向に前記ロボットを移動するよう操作指令を生成する。
【０００８】
上記構成によれば、例えばインチングモードにおいて、操作者が音声入力部（例えばマイク）に向かって音声を発すると、音声認識部により、音声入力部に入力された操作者の音声が認識され、特定ワード抽出部により、記憶部から、音声認識部により認識されたワードに一致する特定ワードが抽出される。操作指令生成部により、特定ワード抽出部によって抽出された特定ワードに関連付けられた操作情報（指定コマンド）に基づいてロボットへの操作指令が生成される。ここで特定ワードは、例えばダイレクト教示によって指定された位置からロボットを所定方向に移動する場合のピッチを特定するワードと、ロボットの移動方向を特定するワードと、を含んでいるので、特定ワード抽出部により、第１ワードに続いて第２ワードが抽出された場合、第１ワードによって指定されたピッチが更新されることなく、第２ワードによりロボットの移動方向が指定される。この場合は、指定されたピッチで指定された方向にロボットを移動するよう操作指令が生成される。これにより、音声入力により、移動ピッチを指定し（例えば「ピッチ２ｍｍ」と発話する）、その後、ロボットの移動方向を指定することができる（例えば「右、右、右、下」と発話する）。オペレータの一回の発話が短くなるので、音声認識の認識精度が向上する。
【０００９】
前記特定ワードは、前記指定された方向に前記指定されたピッチでロボットを前進移動又は後退移動させるための発話容易な第３ワードを更に含み、前記操作指令生成部は、前記第１ワードによって指定されたピッチが更新されることなく、前記第２ワードによって前記ロボットの移動方向が指定された場合は、前記指定されたピッチで指定された方向に、前記第３ワードによってロボットを前進移動又は後退移動するよう操作指令を生成するようにしてもよい。
【００１０】
上記構成によれば、特定ワードが発話容易な第３ワードを更に含んでいるので、ロボットの移動方向が指定された後は、この発話容易なワードによって、指定されたピッチで指定された方向にロボットを前進移動又は後退移動することができる。例えば、ピッチとして「２ｍｍ」が指定され、かつ、方向が「右上３０度」と指定されたとする。そしてそれらピッチと方向が更新されることなく、「ゴー」と一回発話するとロボットは右上方向に２ｍｍ移動する。さらにピッチと方向が更新されることなく、「バック」と一回発話するとロボットは右上方向に−２ｍｍ移動する。つまり左下３０度方向に２ｍｍ移動する。さらにピッチと方向が更新されることなく、「ゴー、ゴー、ゴー」と発話するとロボットは右上方向に合計６ｍｍ移動する。このように発話容易なワードでロボットを前進移動又は後退移動させるので、音声認識の認識精度が向上する。
【００１１】
また、前記第１ワードは、指定された位置から前記ロボットを所定方向に移動する場合のピッチを特定するための曖昧な表現（ambiguity）を含み、前記記憶部には、予め、前記曖昧な表現に対応する数値およびその単位が、当該曖昧な表現に関連付けられて記憶されており、前記操作指令生成部は、前記第２ワードにより指定された移動方向が更新されることなく、前記曖昧な表現に対応する数値及びその単位によって前記ロボットのピッチが指定された場合は、前記指定された移動方向に指定されたピッチで前記ロボットを移動するよう操作指令を生成するようにしてもよい。
【００１２】
前記ロボットは、複数のロボットアームを備え、前記特定ワードは、前記複数のロボットアームのうち移動対象となるロボットアームを特定するワードを更に含んでもよい。
【００１３】
上記構成によれば、発話により、複数のロボットアームのうち移動対象となるロボットアームを特定することができる（例えば「上アーム」「下アーム」、「両アーム」）。
【００１４】
尚、上記教示装置は、ダイレクト教示によってロボットに動作を教示する場合に使用されてもよい。
【発明の効果】
【００１５】
本発明は、以上に説明した構成を有し、音声入力によるロボットのインチングモードにおいて音声認識精度を向上することができる。
【図面の簡単な説明】
【００１６】
【図１】図１は、一実施形態に係るロボットの教示装置の構成を示すブロック図である。
【図２】図２は、音声認識により抽出される特定ワードの一例を示す表である。
【図３】図３は、ロボットの教示作業の様子を示す図である。
【図４】図４は、ロボットの教示作業における信号の流れを示す概略図である。
【図５】図５は、音声認識により抽出される特定ワードのその他の例を示す表である。
【発明を実施するための形態】
【００１７】
以下、好ましい実施形態を、図面を参照しながら説明する。なお、以下では全ての図面を通じて同一または相当する要素には同一の参照符号を付して、その重複する説明を省略する。また、図面は理解しやすくするために、それぞれの構成要素を模式的に示したものである。
【００１８】
図１は、本発明の一実施形態に係るロボットの教示装置の構成を示すブロック図である。教示装置１は、ダイレクト教示によってロボット３に動作を教示するためのロボットの教示装置である。本実施形態では、教示装置１は、音声認識機能を備え、ロボットの制御装置４と通信可能に接続された教示用端末で構成される。教示装置１は、オペレータ５０の発する声を集音するマイク（音声入力部）２に接続されている。マイク２は、オペレータ５０が発する声以外の音声の入力を低減する雑音遮蔽手段を備えることが好ましい。そうした雑音遮蔽手段として、オペレータ５０の口から発せられる声を反射してマイクに集める反射板、オペレータ５０の口以外の方向からの音を遮る防音部材が挙げられる。さらに、オペレータ５０の口の方向からの音声に高い感度を有する指向性マイクを使用することも好ましい。あるいは、オペレータ５０の骨導音を集音する骨伝導マイクも好適に用いられる。こうしたマイクは、工場のラインなどロボット３が設置される場所における騒音をカットしてオペレータ５０の声をクリアに集音する。
【００１９】
教示装置１は、マイク２に入力された操作者の音声を認識する音声認識部１１と、予め、ロボット３の操作に関連付けられた特定ワードを記憶しておく記憶部１２と、記憶部１２から、音声認識部１１により認識されたワードに一致する特定ワードを抽出する特定ワード抽出部１３と、特定ワード抽出部１３によって抽出された特定ワードに関連付けられた操作情報（指定コマンド）に基づいてロボットへの操作指令を作成する操作指令生成部１４と、を備える。ここで教示装置１は、１以上のプロセッサ、メモリ、入出力インタフェース、通信インタフェース等を備えたコンピュータである。音声認識部１１、特定ワード抽出部１３，操作指令生成部１４は、プロセッサにおいて、所定のプログラムが実行されることによって、実現される機能ブロックである。
【００２０】
記憶部１２は、予め、音声認識により抽出される特定ワードと、それに関連付けられたロボット操作に関するコマンド等の各種データ、その他音声認識処理プログラムを記憶しておく。図２は、音声認識により抽出される特定ワードの一例を示すチャートである。図２に示すように、特定ワードは、ロボット３の操作に関連付けられている。例えば「レコード」という特定ワードは、教示モードにおける「現在位置への移動命令の生成コマンド」に関連付けられている。「送信」という特定ワードは、教示モードにおいて生成された「ロボットのプログラム転送コマンド」に関連付けられている。「開始」という特定ワードは、再生モードにおける「プログラム実行コマンド」に関連付けられている。「ピッチ○○ｍｍ」という特定ワードは、インチングモードにおける「ピッチ指定コマンド」に関連付けられている。ダイレクト教示によって指定された位置からロボットを所定方向に移動する場合のピッチを特定するワードである。○○は数値が相当する。「右（又は左）」という特定ワードは、インチングモードにおけるロボットの「右又は左の移動方向の指定コマンド」に関連付けられている。「上（又は下）」という特定ワードは、インチングモードにおけるロボットの「上又は下の移動方向の指定コマンド」に関連付けられている。「前（又は後）」という特定ワードは、インチングモードにおけるロボットの「前又は後の移動方向の指定コマンド」に関連付けられている。「上アーム（又は下アーム）」や「両アーム」という特定ワードは、双腕ロボットのインチングモードにおける「対象アームの指定コマンド」に関連付けられている。
【００２１】
特定ワード抽出部１３は、記憶部１２から、音声認識部１１により認識されたワードに一致する特定ワードを抽出する。操作指令生成部１４は、特定ワード抽出部１３によって抽出された特定ワードに関連付けられた操作情報（指定コマンド）に基づいてロボットへの操作指令を生成し、これを制御装置４に出力する。
【００２２】
ロボット３は、制御装置４からの操作指令に基づいて、動作を教示するための教示モードと、教示された動作を自動的に行うための再生モードとのいずれかのモードを有する。ロボット３は、制御装置４に接続されている。制御装置４は、演算処理器、サーボアンプ、メモリ、入出力インタフェース、通信インタフェース等を備えたロボットコントローラである。制御装置４は、ダイレクト教示部２１、動作指令生成部２２及び記憶部２３を備える。ダイレクト教示部２１は、教示モードにおいてオペレータ５０によって導かれたロボットの位置又は姿勢を検出して教示点等の教示情報を記憶部２３に記憶する。動作指令生成部２２は、教示モードでは教示装置１からの操作指令に基づいて、ロボット３の動作を指令する信号をロボット３に送信する。再生モードでは教示された動作プログラムのプレイバック等を実行すべくロボット３の動作を指令する信号をロボット３に送信する。記憶部２３は、教示モードにおいて生成された動作プログラム等の教示情報を記憶する。
【００２３】
次に、教示装置１によるロボット３のダイレクト教示について説明する。図３は、ロボット３の教示作業の様子を示す図である。図３に示すように、ロボット３は、ベース３０に支持された一対のロボットアーム３１，３１を備えた双腕ロボットである。ロボット３は、人一人分に相当する限られたスペース（例えば６１０ｍｍ×６２０ｍｍ）に設置される。教示モードにおいて、ロボットアーム３１の位置と姿勢（各関節、アーム先端の角度）とはオペレータ５０により手動で操作される。また、本実施形態では、オペレータ５０は、オペレータ５０の発する声をフリーハンドで集音するマイク２を装着しているので、音声入力によりロボット３の操作を行うことができる。
【００２４】
オペレータ５０はロボットアーム３１の先端をつかんで、ロボットアーム３１を所望の位置に移動させ、あるいは所望の姿勢を取らせて、そのときの位置あるいは姿勢を記憶する。このとき、オペレータ５０は、「レコード」という文字を発すると、教示装置１において、音声認識部１１により、マイク２に入力されたオペレータ５０の音声が認識される。特定ワード抽出部１３により、記憶部１２から、音声認識部１１により認識されたワードに一致する特定ワードが抽出される（図２参照）。ここでは特定ワード抽出部１３によって、記憶部１２から、特定ワード「レコード」に関連付けられた「現在位置への移動命令の生成コマンド」が抽出され、操作指令生成部１４に出力される。操作指令生成部１４により、「現在位置への移動命令の生成コマンド」に基づいてロボットへの操作指令が生成され、制御装置４に出力される。制御装置４によって、操作指令が受信され、ロボットの現在位置あるいは姿勢が記憶部２３に記憶される。
【００２５】
また、本実施形態の教示装置１は、音声入力により、ダイレクト教示において登録されたロボットの位置及び姿勢から所定方向に移動させるインチングモードを実行することができる。記憶部１２には、ダイレクト教示によって指定された位置からロボットを所定方向に移動する場合のピッチを特定するワードと、ロボットの移動方向を特定するワードとが記憶されている。図２に示すように、「ピッチ○○ｍｍ」という特定ワードは、インチングモードにおける「ピッチ指定コマンド」に関連付けられている。「右（又は左）」という特定ワードは、インチングモードにおけるロボットの「右又は左の移動方向の指定コマンド」に関連付けられている。
【００２６】
図４は、音声入力によるロボット操作における信号の流れを示す概略図である。図４に示すように、オペレータ５０は、「ピッチ２ｍｍ」という文字を発すると、教示装置１において、音声認識部１１により、マイク２に入力されたオペレータ５０の音声が認識される。特定ワード抽出部１３により、記憶部１２から、音声認識部１１により認識されたワードに一致する特定ワードが抽出される（図２参照）。ここでは特定ワード抽出部１３によって、記憶部１２から、特定ワード「ピッチ○○ｍｍ」に関連付けられた「ピッチ指定コマンド」が抽出され、操作指令生成部１４に出力される。操作指令生成部１４により、「ピッチ指定コマンド」に基づいてロボットへの操作指令が生成され、制御装置４に出力される。制御装置４によって、操作指令が受信され、インチングモードにおけるピッチが指定される。指定されたピッチは、記憶部２３に記憶される。
【００２７】
次に、オペレータ５０は、「右」、「右」、「右」、「下」という文字を発すると、教示装置１において、音声認識部１１により、マイク２に入力されたオペレータ５０の音声が認識される。特定ワード抽出部１３により、記憶部１２から、音声認識部１１により認識されたワードに一致する特定ワードが抽出される（図２参照）。ここでは特定ワード抽出部１３によって、記憶部１２から、特定ワード「右」に関連付けられた「右の移動方向の指定コマンド」が３回抽出された後、特定ワード「下」に関連付けられた「下の移動方向の指定コマンド」が１回抽出され、それらが操作指令生成部１４に出力される。
【００２８】
操作指令生成部１４により、３つの「右の移動方向の指定コマンド」および１つの「下の移動方向の指定コマンド」に基づいてロボットへの操作指令が生成され、制御装置４に出力される。制御装置４は、操作指令を受信し、受信した操作指令に基づいて、記憶部２３に記憶されたピッチ（２ｍｍ）を参照し、インチングモードにおいてロボットが右方向に６ｍｍ、下方向に２ｍｍだけ移動する。このように、操作指令生成部１４は、特定されたピッチ（２ｍｍ）が更新されることなく、ロボットの移動方向が特定された場合は、特定されたピッチで特定された方向にロボットを移動するよう操作指令を生成する。
【００２９】
従って、本実施形態によれば、音声入力によるインチングモードにおいて、オペレータ５０の一回の発話が短くなるので、音声認識の認識精度が向上する。
【００３０】
尚、本実施形態では、一旦ピッチが指定された後、そのピッチが更新されることなく、方向を表すワードのみが発話された場合は、そのピッチで１ピッチ分だけ発話された方向にロボットが移動する。しかし、方向を表すワードが繰り返して発話するのが困難である場合がある。例えば、「右」であれば繰り返して発話することも困難ではないが、「右上３０度」というワードであれば繰り返し発話することが困難である。
【００３１】
そこで、特定ワードが、指定された方向に指定されたピッチでロボットを前進移動又は後退移動させるための発話容易なワードを更に含み、ロボットの移動方向が指定された後は、発話容易なワードによって、指定された方向に所定ピッチ移動するようにしてもよい。
【００３２】
図５は、音声認識により抽出される特定ワードのその他の例を示す表である。図５に示すように、ロボットを前進移動又は後退移動させるための発話容易なワードは、「前進(go)又は後退(back)」である。これらのワードは、母音が１つであるので、発生時に音声認識され易い。例えばピッチとして２ｍｍが指定され、かつ、方向が「右上３０度」と指定されたとする。そして、それらピッチと方向が更新されることなく、「ゴー」と一回発話するとロボットは右上方向に２ｍｍ移動する。さらにピッチと方向が更新されることなく、「バック」と一回発話するとロボットは右上方向に−２ｍｍ移動する。（つまり左下３０度方向に２ｍｍ移動する）。さらにピッチと方向が更新されることなく、「ゴー、ゴー、ゴー」と発話するとロボットは右上方向に合計６ｍｍ移動する。
【００３３】
つまり、操作者が「ゴー」というワードを発話し教示装置がそれを認識すると、すでに指定された方向にすでに指定されたピッチで１ピッチ分だけ移動させる操作指令が生成される。また操作者が「バック」というワードを発話し教示装置１（音声認識部１１）がそれを認識すると、すでに指定された方向と反対の方向にすでに指定されたピッチで１ピッチ分だけ移動させる操作指令が生成される。このように発話容易なワードでロボットを前進移動又は後退移動させるので、音声認識の認識精度が向上する。
【００３４】
尚、本実施形態では、指定されたピッチが更新されることなく、ロボットの移動方向が指定された場合は、指定されたピッチで指定された方向にロボットを移動するようにしたが、指定された移動方向が更新されることなくピッチが指定された場合は、指定された移動方向に指定されたピッチでロボットを移動させるようにしてもよい。例えば移動方向として右方向が指定されており、その移動方向が更新されることなく操作者が「２ｍｍ」というワードを発話すれば、右方向に２ｍｍ移動させるような操作指令が生成されてもよい。さらに移動方向が変更されることなく操作者が「０．２ｍｍ」というワードを発話すれば、右方向に０．２ｍｍ移動させるような操作指令が生成されてもよい。
【００３５】
ピッチを特定するためのワードは、「２ｍｍ」や「０．２ｍｍ」という具体的な数値を含むワードでもよいし、図５に示すように、「ちょっと」や「ほんのちょっと」や「あと少し」や「もう少し」という曖昧な表現（ambiguity）を含むワードでもよい。それらのワードは登録（記憶）されており、それらのワードに対応する具体的なピッチ（数値及びその単位）との関係も登録（記憶）されている。たとえば「ちょっと」や「ほんのちょっと」というワードが登録（記憶）されておりそれらのワードに対応するピッチとして２ｍｍと０．２ｍｍが関連付けられている。つまり、「ちょっと」というワードは２ｍｍのピッチに関係付けられており、「ほんのちょっと」というワードは０．２ｍｍのピッチに関係付けられている。たとえば移動方向として右方向がすでに指定されており、その移動方向が更新されることなくオペレータが「ちょっと」というワードを発話すれば、右方向に２ｍｍ移動させるような操作指令が生成される。さらに移動方向が変更されることなく操作者が「ほんのちょっと」というワードを発話すれば、右方向に０．２ｍｍ移動させるような操作指令が生成される。さらに移動方向が変更されることなく操作者が「ちょっと、ほんのちょっと、ほんのちょっと」と発話すれば、ロボットは右方向に合計２．４ｍｍ移動する。人間同士の日常会話では曖昧な表現を用いて様々な程度を表すことが多い。このため、オペレータは具体的な数値よりも曖昧な表現（ambiguity）を含むワードの方が直感的にピッチを指定し易い。
【００３６】
尚、ロボット３は、２本のロボットアーム３１を備えた双腕ロボットであるので、インチングモードにおいて、音声入力により移動対象となるロボットアームを特定してもよい。例えばオペレータ５０は、「上アーム」、「下アーム」又は「両アーム」のいずれかを発することにより、インチングの対象となるロボットアーム３１を特定することができる。
【００３７】
尚、本実施形態では、教示装置１は、ダイレクト教示によってロボットに動作を教示するためのものであったが、その他のロボット教示のためのものであってもよい。
【００３８】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／または機能の詳細を実質的に変更できる。
【産業上の利用可能性】
【００３９】
本発明は、ロボットのティーチングに有用である。
【符号の説明】
【００４０】
１  教示装置
２  マイク（音声入力部）
３  ロボット
４  制御装置（ロボットコントローラ）
１１  音声認識部
１２  記憶部
１３  特定ワード抽出部
１４  操作指令生成部
２１  ダイレクト教示部
２２  動作指令部
２３  記憶部
３１  ロボットアーム
５０  オペレータ
【図１】
2019126902.tif 000003
【図２】
2019126902.tif 000004
【図３】
2019126902.tif 000005
【図４】
2019126902.tif 000006
【図５】
2019126902.tif 000007